(57)【特許請求の範囲】
【請求項１】
リライタブルカードに印字を行なうサーマルヘッドと、前記印字されたカードの印字を消去する消去ヘッドと、印字ヘッド及び消去ヘッドに各々対応するプラテンローラとからなる搬送部を備えたカード処理ユニットであって、該カード処理ユニットは、上パネルと下パネルを備え、該上パネルには、前記サーマルヘッドと消去ヘッドを各々別に保持する取付け板と、該取付け板の両端部と係合し、該両端部が係合し前記カード面に対して垂直方向に摺動可能な溝部を有し、前記取付け板のバネ受け部に当接して前記サーマルヘッドと消去ヘッドを前記カード面方向に付勢する捻りバネと、前記サーマルヘッド及び前記消去ヘッドを前記カード面方向に回動させるシャフトと、前記取付け板に穿設され、前記シャフトを挿通する長孔とから構成される制御機構を備えたことを特徴とするカード処理ユニット。
【請求項２】
カードが搬送される下パネル面の、前記サーマルヘッドに対向して配置されたサーマルプラテンローラの近傍に、該プラテンローラとサーマルヘッド当接面との間に段差を形成する複数の突起部を設けたことを特徴とする請求項１記載のカード処理ユニット。
【発明の詳細な説明】
【技術分野】
【０００１】
本発明は、リライタブルカード等を使用する機器に取り付けられるカード処理ユニットに関し、とくにカード印字面への印字及び消去品質の高いカード処理ユニットに関するものである
【背景技術】
【０００２】
今日、病院や店舗等あるいは遊技場等においてＩＣ／磁気カード等（以下単にカードという）を使った端末装置が数多く使用されている。前記端末装置に備えられたサーマルヘッド及び消去ヘッドによって前記カードの印字面に文字や記号等の印字及び消去を行なっている。
【０００３】
一般に、上記の印字が可能なカードはリライタブルカードと称され、熱可逆性記録材料を使用して作製されており、このカードの印字及び消去を行なうためには、印字ヘッドと消去ヘッドとが一体に取り付けられたサーマルヘッドを備えたリライタブルカードリーダライタが使用されている。
【０００４】
しかしながら、上記従来のリライタブルカードリーダライタの場合、印字ヘッドと消去ヘッドとが一体に取り付けられているため、カードの表面に印字ヘッドと消去ヘッドとが同時に接触するため、印字ヘッドと消去ヘッドとの間隔分のカードの印字面が印字できず、カードの印字可能な領域が充分活用されないという問題点があった。また、厚みの薄いカードが搬送されて印字ヘッド及び消去ヘッドと接触する際に、カードの厚みのバラツキや反り或いは傾きによって各ヘッド面とカード面との密着が不十分となり、各ヘッド面とカード面とが接触する際の押圧が一定せずに印字された文字や記号等が不明瞭となったり、印字の消去が不十分となるという問題もあった。
【０００５】
そこで、印字ヘッドと、消去ヘッドと、前記印字ヘッドを移動させる印字ヘッド移動手段と、前記消去ヘッドを移動させる消去ヘッド移動手段と、前記印字ヘッド及び消去ヘッドを選択的に駆動して制御させる制御部を有するリライタブルカードリーダライタのサーマルヘッドが提案されている（特許文献１参照。）。
【０００６】
【特許文献１】特開２００１−３４７６９５号公報
【発明の概要】
【発明が解決しようとする課題】
【０００７】
しかしながら、上記特許文献１に提案されているサーマルヘッドの場合、印字ヘッドと消去ヘッドを選択的に駆動し、印字及び消去を行なう制御手段を有するものであるが、印字ヘッド及び消去ヘッドの駆動には各々駆動装置が必要とされ、装置が大きくなると共に製造コストも高価になるという欠点があった。しかもカードの厚みのバラツキや反り或いは傾きによる印字ヘッド及び消去ヘッドの各ヘッド面とカード面との密着不良に関しては何ら考慮されないものであった。
【０００８】
そこで本発明は、上記問題点に鑑みなされたもので、一つの駆動装置によって印字ヘッド及び消去ヘッドの駆動及び制御を可能とし、カード厚みのバラツキや反り或いは傾きによる印字ヘッド及び消去ヘッドの各ヘッド面とカード面との密着不良を解消し、カード面に対して容易に追随密着して印字及び消去を行なうことができるカード処理ユニットを提供するものである。
【課題を解決するための手段】
【０００９】
このため本発明は、リライタブルカードに印字を行なうサーマルヘッドと、前記印字されたカードの印字を消去する消去ヘッドと、印字ヘッド及び消去ヘッドに各々対応するプラテンローラとからなる搬送部を備えたカード処理ユニットであって、該カード処理ユニットは、上パネルと下パネルを備え、該上パネルには、前記サーマルヘッドと消去ヘッドを各々別に保持する取付け板と、該取付け板の両端部と係合し、該両端部が係合し前記カード面に対して垂直方向に摺動可能な溝部を有し、前記取付け板のバネ受け部に当接して前記サーマルヘッドと消去ヘッドを前記カード面方向に付勢する捻りバネと、前記サーマルヘッド及び前記消去ヘッドを前記カード面方向に回動させるシャフトと、前記取付け板に穿設され、前記シャフトを挿通する長孔とから構成される制御機構を備えたことを第１の特徴とする。
【００１０】
また、カードが搬送される下パネル面の、前記サーマルヘッドに対向して配置されたサーマルプラテンローラの近傍に、該プラテンローラとサーマルヘッド当接面との間に段差を形成する複数の突起部を設けたことを第２の特徴とする。
【００１２】
尚、上記段差は、前記パネル面上に形成された複数の突起部であってもよく、またパネル面を凸状に膨出成形されたものであってもかなわない。
【発明の効果】
【００１３】
本発明に係るカード処理ユニットによれば、カードに印字を行なう印字ヘッドと、前記印字されたカードの印字部を消去する消去ヘッドを同一の駆動装置によって夫々昇降制御するため、カード処理ユニットがコンパクトとなり、しかも安価に製造できるという優れた効果を有する。
【００１４】
また、印字ヘッドを下方に付勢するバネを備えた消去ヘッド昇降シャフトと、印字ヘッドを下端に保持する取付け板が昇降自在に係合されると共に、該取付け板には、一端が前記消去ヘッド昇降シャフトに連結された印字ヘッドリフトシャフトの一端と遊嵌され、印字ヘッドの昇降動作が消去ヘッドの昇降動作に連動するようにしたので、カードと各ヘッドとの密着性が良好になるという効果を有する。
【００１５】
さらに、印字ヘッドプラテンローラと消去ヘッドプラテンローラが配置される下パネル面の各プラテンローラの前後に段差を設けたので、カードの湾曲を防止することができ、厚みの薄いカードであってもカードが反ることなく各ヘッドと確実に密着させることができるという優れた効果を有する。
【発明を実施するための形態】
【００１６】
以下、本発明を実施するための最良の形態を図面に示す実施例に基づいて説明するが、本発明が本実施例に限定されないことは言うまでもない。図１は本発明のカード処理ユニットの一実施例を示す斜視図、図２は同カード処理ユニットの上パネルが開いた状態を示す斜視図、図３は消去ヘッド部を示す斜視図、図４は図３のＡ−Ａ線断面図、図５は図３のＢ−Ｂ線断面図、図６は印字ヘッド部を示す斜視図、図７は図６のＡ−Ａ線断面図、図８は図６のＢ−Ｂ線断面図、図９は図１のＡ−Ａ線断面説明図、図１０は突起部の効果を模式的に示す要部拡大断面図である。
【実施例】
【００１７】
図１、２に示すように、本発明に係るカード処理ユニット本体１は、下パネル１４と左右側板５５と上パネル８とから構成され、上パネル８の後端部は左右側板５５の後端部に開閉可能に取付けられている。そしてカード処理ユニット本体１の前端側にはカード挿入口１１が形成され、カード処理ユニット本体１の内部には、印字ヘッド２７及び消去ヘッド１９を含む印字及び消去部、及び印字ヘッドプラテンローラ３２及び消去ヘッドプラテンローラ２１などの搬送部が組み込まれている。さらにカード処理ユニット本体１の後端側にはステッピングモータ２を含む駆動機構及びセンサー５４を含む制御機構が設けられ、印字ヘッド２７及び消去ヘッド１９を昇降制御する。
【００１８】
下パネル１４にはカード１２を搬送する搬送ローラ３５、印字ヘッドプラテンローラ３２及び消去ヘッドプラテンローラ２１が設けられ、図示しない駆動装置の駆動によりカードの挿入・排出を可能とし、下パネル１４の印字ヘッドプラテンローラ３２近傍には磁気ヘッド３４が設けられ、カードに磁気データの書き込み及び読み込みを可能とする。そして、下パネル１４の印字ヘッドプラテンローラ３２及び消去ヘッドプラテンローラ２１が配置されたパネル面の前後には突起部３３や凸状の膨出部５６による段差が設けられ、カード１２の反りによる密着不良を防止する。
【００１９】
上パネル８の後端部にはステッピングモータ２が設けられ、ウォームギア３、カムギア４、カムシャフト５を介してステッピングモータ２の駆動が伝達され、カムベース６が回動する。またカムベース６にはベアリング７、１３が設けられ、カムベース６の回動に伴い各ベアリングはサーマルヘッド昇降板１０及び消去ヘッド昇降板９と当接して後述するサーマルヘッド２９と消去ヘッド１９の昇降を夫々制御する。具体的には、扇状のカムベース６の拡径辺両端に、カムベース６の回動に伴って円弧状に移動する一対のベアリング７、１３を回動自在に軸支し、一方のベアリング１３が消去ヘッド昇降板９の一端と、他方のベアリング７が印字ヘッド昇降板１０の一端と係合され、カムベース６を回動させるカムシャフト５を駆動する一つの駆動装置２によって印字ヘッド２７及び消去ヘッド１９を昇降動作する。
【００２０】
次に、印字及び消去部に関し図３乃至図８で説明する。
まず、図３乃至図５に示すように、消去部は消去ヘッド昇降板９の回動に連動して回動する消去昇降シャフト１５と、消去昇降シャフト１５の両端部に外装された一対の捻りバネ１８と、消去昇降シャフト１５の中央部に直交して設けられた一対の消去ヘッドリフトシャフト１６と、消去ヘッドリフトシャフト１６の先端部が係合する係合孔２２が穿設された左側面視Ｌ字型の消去ヘッド取付け板１７と、消去ヘッド取付け板１７の底部に取り付けられた消去ヘッド１９と、消去ヘッド１９と対向する消去ヘッドプラテンローラ２１とから構成されている。また捻りバネ１８の一端部は直線形状に形成されて延出し、消去ヘッド取付け板１７の左右開口部５０を挿通し、消去ヘッド取付け板１７上部にネジ５１にて取り付けられた消去バネ受けシャフト２０に当接して消去ヘッド１９を下方向へ常時付勢する。そして消去ヘッドリフトシャフト１６は、上述したステッピングモータ２の駆動による消去昇降シャフト１５の回動に伴って回動し、消去ヘッド取付け板１７と共に消去ヘッド１９を上下方向に昇降する。
【００２１】
ここで、上記消去ヘッド取付け板１７の左右両端部は上パネル８の係合溝２３ａ、２３ｂに夫々係合し、上下方向に移動可能とされ、しかも係合溝２３ａ、２３ｂの幅は消去ヘッド取付け板１７の厚みに対して０．０１〜０．５ｍｍ程度大きく開口されている。また消去ヘッド取付け板１７の係合孔２２は消去ヘッドリフトシャフト１６の径より縦方向に長い長孔に穿設され嵌装された消去ヘッドリフトシャフト１６との間に若干の隙間（遊び）が生じるようにされている。これらの構成により、消去ヘッド１９は上パネル８及び消去ヘッドリフトシャフト１６に対してフリーとされ、カード１２が搬送されて前後方向に傾いても消去ヘッド１９はカード１２に追随して密着できる。
【００２２】
また、消去バネ受けシャフト２０は消去ヘッド取付け板１７を介して消去ヘッド１９の上部中央位置に消去ヘッドプラテンローラ２１と平行にネジ５１によって取り付けられ、そして捻りバネ１８の一端部（直線形状部）によって消去バネ受けシャフト２０の左右部が押圧されているため、消去ヘッド１９の取付け位置を調節しても捻りバネ１８が消去ヘッド１９の中央部を常に押圧し、カード１２に対して直角に追随して密着し、またカード１２の左右方向の傾きに対しても追随して密着する。
【００２３】
次に、印字部は図６乃至図８に示すように、印字ヘッド昇降板１０の回動に連動して回動する印字ヘッド昇降シャフト２４と、印字ヘッド昇降シャフト２４の両端部に外装された一対の捻りバネ２８と、印字ヘッド昇降シャフト２４の中央部に直交して設けられた一対の印字ヘッドリフトシャフト２５と、印字ヘッドリフトシャフト２５の先端部が係合する係合孔３１が穿設された左側面視Ｌ字型の印字ヘッド取付け板２６と、印字ヘッド取付け板２６の底部にネジ５３にて取り付けられた印字ヘッド２７と、印字ヘッド２７と対向する印字ヘッドプラテンローラ３２とから構成されている。また捻りバネ２８の一端部は直線形状に形成されて延出し、印字ヘッド取付け板２６の左右開口部５２を挿通し印字ヘッド取付け板２６の上部に設けられた印字ヘッドバネ受けシャフト２９に当接して印字ヘッド２７を下方向へ常時付勢する。そして印字ヘッドリフトシャフト２５は、上述したステッピングモータ２の駆動による印字ヘッド昇降シャフト２４の回動に伴って回動し、印字ヘッド取付け板２６と共に、印字ヘッド２７を上下方向に昇降する。
【００２４】
ここで、上記印字ヘッド取付け板２６の左右両端部は上パネル８の係合溝３０ａ、３０ｂに夫々係合し、上下方向に移動可能とされ、しかも係合溝３０ａ、３０ｂの幅は印字ヘッド取付け板２６の厚みに対して０．０１〜０．５ｍｍ程度大きく開口されている。またサーマルヘッド取付け板２６の係合孔３１はお印字リフトシャフト２５の径より縦方向に長い長孔に穿設されている。これらの構成により、印字ヘッド２７は上パネル８及び印字ヘッドリフトシャフト２５に対してフリーとされ、カード１２が搬送されて前後方向に傾いても印字ヘッド２７はカード１２に追随して密着できる。
【００２５】
また、印字ヘッドバネ受けシャフト２９は捻りバネ２８の一端部（直線形状部）によって印字ヘッドバネ受けシャフト２９の左右部が押圧されているため、印字ヘッド２７の先端部はカード１２の左右方向の傾きに追随して密着する。
【００２６】
そして、図２及び９に示すように下パネル１４のパネル面上で、印字ヘッドプラテンローラ３２と消去ヘッドプラテンローラ２１の前後には突起部３３や凸状の膨出部５６による段差が設けられ、カード１２と印字ヘッド２７や消去ヘッド１９との密着性が向上する。とくに薄いカード１２を使用する場合には消去ヘッド１９前後部において、消去ヘッド１９の発熱面が平坦であるため図１０（ａ）に示すようにカード１２は消去ヘッド１９と消去ヘッドプラテンローラ２１間で湾曲して密着不良（破線部分）となり接触面積が狭くなるため、消去が不良となる。そこで図１０（ｂ）に示すように、突起部３３及び凸状の膨出部５６による段差によってカード１２を支持することによって消去ヘッド１９とカード１２とを充分に密着させることができる。尚、消去ヘッド１９を消去ヘッドプラテンローラ２１側に強く荷重を掛けることでカード１２と消去ヘッド１９との接触面積を確保することはできるが、カード１２の表面の磨耗によってカード１２の寿命が短くなる危険性がある。
【００２７】
上記の構成による本発明のカード処理ユニット１によれば、カードに印字を行なう印字ヘッド２７と、印字されたカード１２の印字部を消去する消去ヘッド１９を同一のステッピングモータ（駆動装置）２によって夫々昇降制御が可能であり、印字ヘッド２７と消去ヘッド１９がカード１２に対して追随して移動するため、カード１２と各ヘッドとの密着性に優れる。しかもカード１２が搬送される下パネル面上に複数の突起部３３が設けられているためカード１２の反りによる印字ヘッド２７と消去ヘッド１９との密着不良が発生しない。
【００２８】
次に、本発明のカード処理ユニットによる作用を説明すると、カード挿入口１１から挿入されたカード１２は、図示しない駆動装置の駆動によって搬送ローラ３５が回動し、搬送される。ここで磁気データの読み込み及び書き込みがある場合には磁気ヘッド３４が使用される。さらにセンサー５４による指示によってステッピングモータ２が駆動してウォームギア３を回動させ、さらにカムギア４に回動が伝達され、カムシャフト５を介してカムベース６が所定の位置まで回動する。ここで、印字ヘッド２７及び消去ヘッド１９の昇降指示によってカムベース６の回動が指示され、カムベース６に設けられたベアリング７、１３が印字ヘッド昇降板１０及び消去ヘッド昇降板９と各々係合して回動させ、印字ヘッド２７及び消去ヘッド１９を各々昇降させてカード１２と密着させて印字及び消去が可能となる。
【００２９】
ここで、印字ヘッド２７及び消去ヘッド１９は各々印字ヘッド取付け板２６及び消去ヘッド取付け板１７に取付けられており、上述した捻りバネ２８、１８によって下方向に常時付勢され、さらに各取付け板２６、１７に穿設された係合孔２２、３１に係合する印字ヘッドリフトシャフト２５及び消去ヘッドリフトシャフト１６によって上下方向に昇降してカード１２と密着する。しかも各取付け板２６、１７の両端部は、各板の厚みより広い幅を持つ上パネル８の係合溝３０ａ、３０ｂ、２３ａ、２３ｂに夫々係合して上下方向に昇降し、各リフトシャフト２５、１６は夫々の径より長い長孔に穿設された係合孔２２、３１と係合して入るため印字ヘッド２７及び消去ヘッド１９は各リフトシャフト２５、１６及び上パネル８に対してフリーとなり、カード１２の前後方向における傾きに対する追随性に優れる。また、各取付け板２６、１７に設けられたバネ受けシャフト２９、２０は捻りバネ２８、１８によって左右部が押圧されており、カード１２の左右方向の傾きに対して追随密着する。
【００３０】
さらに下パネル１４のパネル面上で、印字ヘッドプラテンローラ３２と消去ヘッドプラテンローラ２１の前後には突起部３３や凸状の膨出部５６が設けられ、各ヘッド２７、１９と各プラテンローラ３２、２１がカード１２を挟持する際にカード１２の反りを防止し、ヘッド２７、１９との密着性が向上する。
【００３１】
上記のようにカード１２への印字及び消去が終了したカード１２は、ステッピングモータ２の駆動によってカード挿入口１１より排出される。
【００３２】
以上、本発明によるカード処理ユニットによればカードに印字を行なう印字ヘッドと、印字されたカードの印字部を消去する消去ヘッドを同一の駆動装置によって夫々昇降制御するため、カード処理ユニットがコンパクトとなり、しかも安価に製造できる、また、印字ヘッドと、印字されたカードの印字を消去する消去ヘッドと、印字ヘッド及び消去ヘッドに各々対応するプラテンローラとからなる搬送部を備えたカード処理ユニットであって、該カード処理ユニットは、上パネルと下パネルを備え、該上パネルには、印字ヘッドを下方に付勢するバネを備えた印字ヘッド昇降シャフトと、印字ヘッドをその下端に保持する取付け板が昇降自在に係合され、該取付け板には、一端が前記消去ヘッド昇降シャフトに連結された印字ヘッドリフトシャフトの他端が遊嵌されると共に、消去ヘッドを下方に付勢するバネを供えた消去ヘッド昇降シャフトと、消去ヘッドをその下端に保持する取付け板が昇降自在に係合され、該取付け板には一端が前記消去ヘッド昇降シャフトに連結された消去ヘッドリフトシャフトの他端が遊嵌され、印字ヘッドと消去ヘッドが各々昇降動作するようにしたので、カードと各ヘッドとの密着性に優れ、しかも、パネル面上で、印字ヘッドプラテンローラと消去ヘッドプラテンローラの前後には突起部や凸状の膨出部による段差が設けられているため、厚みの薄いカードであってもカードが反ることなく各ヘッドと密着させることができる。
【図面の簡単な説明】
【００３３】
【図１】本発明のカード処理ユニットの一実施例を示す斜視図である。
【図２】同カード処理ユニットの上パネルが開いた状態を示す斜視図である。
【図３】消去ヘッド部を示す斜視図である。
【図４】図３のＡ−Ａ線断面図である。
【図５】図３のＢ−Ｂ線断面図である。
【図６】サーマルヘッド部を示す斜視図である。
【図７】図６のＡ−Ａ線断面図である。
【図８】図６のＢ−Ｂ線断面図である。
【図９】図１のＡ−Ａ線断面説明図である。
【図１０】段差の効果を模式的に示す要部拡大断面図である。
【符号の説明】
【００３４】
１    カード処理ユニット本体
２    ステッピングモータ
３    ウォームギア
４    カムギア
５    カムシャフト
６    カムベース
７    ベアリング
８    上パネル
９    消去ヘッド昇降板
１０  印字ヘッド昇降板
１１  カード挿入口
１２  カード
１３  ベアリング
１４  下パネル
１５  消去ヘッド昇降シャフト
１６  消去ヘッドリフトシャフト
１７  消去ヘッド取付け板
１８  捻りバネ
１９  消去ヘッド
２０  消去ヘッドバネ受けシャフト
２１  消去ヘッドプラテンローラ
２２  係合孔
２３ａ係合溝
２３ｂ係合溝
２４  印字ヘッド昇降シャフト
２５  印字ヘッドリフトシャフト
２６  印字ヘッド取付け板
２７  印字ヘッド
２８  捻りバネ
２９  印字ヘッドバネ受けシャフト
３０ａ係合溝
３０ｂ係合溝
３１  係合孔
３２  印字ヘッドプラテンローラ
３３  突起部
３４  磁気ヘッド
３５  搬送ローラ
５０  開口部
５１  ネジ
５２  開口部
５３  ネジ
５４  センサー
５５  左右側板
５６  凸状の膨出部（突起部）
【図１】
0004915610.tif 000002
【図２】
0004915610.tif 000003
【図３】
0004915610.tif 000004
【図４】
0004915610.tif 000005
【図５】
0004915610.tif 000006
【図６】
0004915610.tif 000007
【図７】
0004915610.tif 000008
【図８】
0004915610.tif 000009
【図９】
0004915610.tif 000010
【図１０】
0004915610.tif 000011